(57)【要約】      （修正有）【課題】装飾対象である物品へのより強固な取り付けを可能にする蝶結びを提供する。【解決手段】蝶結び１０は、リボン片の一端部からなる第１の垂れ１２と、第１の垂れから螺旋状に伸びる内環１６及び外環１８からなる二重環１４と、二重環の外環に連なる第１のループ２０と、第１のループに連なり、二重環が規定する空間Ｓの外側からその内側を経て二重環の一部を取り巻く結び目２２と、結び目に連なり結び目を経て伸びる第２のループ２４と、第２のループに連なり結び目を経て伸びる、リボン片の他端部からなる第２の垂れ２６とを備える。第１の垂れ又は外環の一部を引いて、これらに連なる内環の一部を結び目に対して移動させると、内環の直径が漸減し、結び目に固く巻き付く。次に、外環を物品に回し掛け、外環に連なる第１のループの一部を引くと、外環の一部が結び目内を移動し、外環の直径が漸減し、物品を締め付ける。【選択図】図２
0003192415.tif 000002
【実用新案登録請求の範囲】
【請求項１】
一端部及び他端部を有するリボン片で形成された装飾用の蝶結びであって、
前記リボン片の一端部からなる第１の垂れと、該第１の垂れから螺旋状に伸びる内環及び外環からなる二重環と、該二重環の外環に連なる第１のループと、該第１のループに連なり、前記二重環が規定する空間の外側からその内側を経て前記二重環の一部を取り巻く結び目と、該結び目に連なり、該結び目を経て伸びる第２のループと、該第２のループに連なり前記結び目を経て伸びる、前記リボン片の他端部からなる第２の垂れとを備える、蝶結び。
【考案の詳細な説明】
【技術分野】
【０００１】
本考案は、物品の装飾に用いられる蝶結びに関する。
【背景技術】
【０００２】
従来、贈答品やその包装からなる物品の装飾のために用いられる蝶結びが提案されている（特許文献１参照）。この蝶結びは、一端部及び他端部を有するリボン片で形成され、前記リボン片の一端部からなる第１の垂れと、該第１の垂れから螺旋状に伸びる環と、該環に連なる第１のループと、該第１のループに連なり、前記環が規定する空間の外側からその内側を経て前記環の一部を取り巻く結び目と、該結び目に連なり、該結び目内を経て伸びる第２のループと、該第２のループに連なる、前記リボン片の他端部からなる第２の垂れとを有する。
【０００３】
前記従来の蝶結びにあっては、前記第１及び第２の両ループと前記第１及び第２の両垂れとが主たる装飾機能を担い、残りの前記環が物品に対する前記蝶結びの取り付け機能を担う。前記蝶結びによれば、前記第１の垂れを引いてこれを前記結び目に対して相対移動させると、前記第１の垂れに連なる前記環の一部が前記結び目内を移動し、これに伴い前記環の直径又は該環の大きさが漸減する。このことから、装飾対象である物品に前記蝶結びの環を回して掛け、前記第１の垂れを引くと、前記物品が前記環により締め付けられ、これにより、前記蝶結びが前記物品に取り付けられる。
【０００４】
ところで、前記蝶結びの環は、前記第１の垂れと前記第１のループとの双方に連なっている。このことから、前記環による前記物品の締め付けの程度をより大きいものにして前記環が解けにくいものとすべく前記第１の垂れをさらに引くと、前記環が前記物品の表面上を滑るように移動し、前記第１のループの一部が前記第１の垂れの側に向けて前記結び目内を移動し、これに伴って前記第１のループの大きさが漸減する。このため、前記環による前記物品に対する締め付け力の増大を図り、これにより前記環が解けにくくすることは困難であった。
【先行技術文献】
【特許文献】
【０００５】
【特許文献１】実用新案登録第３１８９９７３号公報
【考案の概要】
【考案が解決しようとする課題】
【０００６】
したがって、本考案の目的は、装飾対象である物品へのより強固な取り付けを可能にする蝶結びの提供にある。
【課題を解決するための手段】
【０００７】
本考案に係る蝶結びは、一端部及び他端部を有するリボン片の前記一端部からなる第１の垂れと、該第１の垂れから螺旋状に伸びる内環及び外環からなる二重環と、該二重環の外環に連なる第１のループと、該第１のループに連なり、前記二重環が規定する空間の外側からその内側を経て前記二重環の一部を取り巻く結び目と、該結び目に連なり該結び目を経て伸びる第２のループと、該第２のループに連なり前記結び目を経て伸びる、前記リボン片の他端部からなる第２の垂れとを備える。
【０００８】
本考案に係る蝶結びにあっては、前記蝶結びの第１及び第２の両ループと第１及び第２の両垂れとが主たる装飾機能を担い、前記二重環のうちの外環が物品に対する前記蝶結びの取り付け機能を担う。
【０００９】
物品への前記蝶結びの取り付けに際しては、まず、前記第１の垂れ又は前記外環の一部を引いて、これらにそれぞれ連なる前記内環の一部を前記結び目に対して相対的に移動させる。その結果、前記内環の直径又はその大きさが漸減し、前記内環は、最終的に、前記結び目に固く巻き付く。前記結び目に巻き付いた前記内環は、前記第１の垂れ及び前記外環の一方から他方への力の伝達を遮断する作用をなす。
【００１０】
次に、前記蝶結びを前記物品に取り付けるために前記外環を物品に回し掛け、該外環に連なる前記第１のループの一部を引く。その結果、前記外環の一部が前記結び目内を移動し、前記外環の直径又はその大きさが漸減し、前記外環が前記物品をその周囲から締め付ける。これにより、前記物品に前記蝶結びが取り付けられる。
【００１１】
本考案にあっては、前記第１のループの一部をさらに引いて前記外環に引張力を与えると、前記結び目に前記内環が巻き付いているために前記第１の垂れに伝達されない前記引張力により前記物品がさらに締め付けられる。その結果、前記物品に取り付けられた前記蝶結びの前記物品の表面上における位置ずれや、前記物品からの分離が容易に生じないようにされる。
【図面の簡単な説明】
【００１２】
【図１】本考案に係る装飾用の蝶結びの斜視図である。
【図２】他の方向から見た蝶結びの斜視図である。
【図３】内環を減径し始めた状態における蝶結びの斜視図である。
【図４】内環の減径をさらに進めた状態における蝶結びの斜視図である。
【図５】第１の垂れ及び内環を形成した状態にあるリボン片の斜視図である。
【図６】さらに外環を形成した状態にあるリボン片の斜視図である。
【図７】さらに第１のループを形成した状態にあるリボン片の斜視図である。
【図８】さらに結び目の形成途上にある状態にあるリボン片の斜視図である。
【図９】さらに第２のループおよび第２の垂れを形成した状態にあるリボン片の斜視図である。
【図１０】物品に蝶結びが取り付けられた状態を示す概略的な斜視図である。
【考案を実施するための形態】
【００１３】
図１〜図４を参照すると、本考案に係る蝶結びが全体に符号１０で示されている。蝶結び１０は、贈答品又はその包装である箱、瓶、袋等からなる物品Ｂを装飾するために用いられる（図１０参照）。
【００１４】
蝶結び１０は、一端部５２（図５）及び他端部５４（図９）を有するリボン片５０（図５）により形成されている。リボン片５０は、合成繊維製、化学繊維製、天然繊維製等の織物又は不織布、合成樹脂製のテープ等からなり、物品Ｂの大きさ、装飾効果等を考慮して、任意の幅寸法及び任意の長さ寸法を有するものを選択、使用することができる。
【００１５】
蝶結び１０は、第１の垂れ１２と、該第１の垂れから螺旋状に伸びる内環１６及び外環１８からなる二重環１４と、該二重環の外環１８に連なる第１のループ２０と、該第１のループに連なり、二重環１４が規定する空間Ｓ（図２参照）の外側Ｓ１からその内側Ｓ２を経て二重環１４の一部を取り巻く結び目２２と、該結び目に連なり、結び目２２内を経て伸びる第２のループ２４と、該第２のループに連なる第２の垂れ２６とを備える。ここにおいて、第１の垂れ１２及び第２の垂れ２６はそれぞれリボン片５０の一端部５２及び５４からなり、また、二重環１４、第１のループ２０、結び目２２及び第２のループ２４は、リボン片５０の両端部５２，５４間の部分（中間部分）からなる。
【００１６】
蝶結び１０においては、これを構成する第１及び第２の両ループ２０，２４と第１及び第２の両垂れ１２、２６とが主たる装飾機能を担い、また、二重環１４のうちの外環１８が前記物品に対する蝶結び１０の取り付け機能を担う。
【００１７】
前記物品への蝶結び１０の取り付けは、次のようにして行うことができる。
【００１８】
まず、結び目２２に対して第１の垂れ１２を引く。これにより、第１の垂れ１２に連なる内環１６の一部が結び目２２内を移動する。この移動に伴い、内環１６の内径Ｄ１（図２）が次第に減少（漸減）し（図３）、内環１６は最終的に結び目２２に巻き付く（図４）。この内環１６の巻き付きにより、第１の垂れ１２及び外環１８が、それぞれ、これらの一端において実質的に結び目２２に固定される。
【００１９】
次に、外環１８を物品Ｂに回し掛ける。例えば、図１０に示すように、物品Ｂが箱であるときは該箱にその周りを取り巻くように外環１８を回し掛け、前記物品が瓶（図示せず）であるときはその首、胴等の周りに外環１８を回し掛け、あるいは、前記物品が袋（図示せず）からなるときは該袋の口の近傍の窄めた箇所の周りに外環１８をかける。次いで、結び目２２に対して外環１８に連なる第１のループ２０の一部を引く。これにより、外環１８の一部が結び目２２内を移動する。この移動に伴い、外環１８の直径Ｄ２（図４）が次第に減少し、また物品Ｂの外形に従って変形し、物品Ｂをその周りから締め付ける。その結果、蝶結び１０が物品Ｂに取り付けられる。
【００２０】
外環１８及び第１の垂れ１２は、前記したように、これらの両端の一方において結び目２２に固定されていることから、結び目に対して第１のループ２０の一部をさらに引くとき、その引く力（引張力）は第１の垂れ１２に伝達されず、物品Ｂに対する外環１８の締め付けの程度を増大させることに費やされる。その結果、外環１８がより緊張し、物品Ｂに対して緩みにくい状態におかれる。これにより、物品Ｂの表面上における蝶結び１０の位置ずれや、物品Ｂからの蝶結び１０の分離が容易に生じないようにされる。
【００２１】
なお、物品Ｂへの蝶結び１０の取り付けのために第１のループ２０の一部を引くと、第１のループ２０が規定する空間の大きさ（ループの大きさ）が増大し、第１のループ２０の大きさと第２のループ２４の大きさとの間に不均衡が生じることがある。この不均衡の発生は、蝶結び１０を形成するとき、第１のループ２０の大きさの前記増大の程度を見込んで、予め第２のループ２４を比較的大きいものとしておくことにより、回避することができる。
【００２２】
蝶結び１０は、リボン片５０を用いて、次のようにして形成することができる（図５〜図９参照）。なお、以下の説明において「一部」とは、リボン片５０の一部を意味する。
【００２３】
まず、図５に示すように、リボン片５０の一端部５２に連なる他の一部５６を螺旋状に巻き、さらに、図６に示すように、螺旋状に巻かれた一部５６に連なる他の一部５８を螺旋状の一部５６の周りに螺旋状に巻く。螺旋状の一部５８の大きさは、物品Ｂの周囲を取り囲み得るものに設定される。螺旋状の一部５６及び螺旋状の一部５８は、それぞれ、蝶結び１０における二重環１４の内環１６及び外環１８に相当する。
【００２４】
次に、図７に示すように、螺旋状の一部５６、５８を重ね合わせた部分において、一部５８に連なる他の一部６０を折り返す。折り返された一部６０は、蝶結び１０における第１のループ２０に相当する。
【００２５】
引き続き、図８に示すように、折り返された一部６０に連なる他の一部６２で、２つの螺旋状の一部５６，５８を前記重ね合わせた部分において取り巻く。２つの螺旋状の一部５６，５８を取り巻く一部６２は、蝶結び１０における結び目２２に相当する。
【００２６】
次いで、図９に示すように、螺旋状の一部５６，５８を取り巻く一部６２に、該一部に連なる他の一部６４を通し、次いで折り返し、折り返された一部６４に連なるリボン片５０の他端部５４を、螺旋状の一部５６，５８を取り巻く一部６２に通して出す。折り返された一部６４と他端部５４は、それぞれ、蝶結び１０における第２のループ２４と第２の垂れ２６に相当する。
【００２７】
最後に、第１及び第２のループ２０、２４にそれぞれ相当するリボン片５０の２つの一部６０，６４を互いに反対方向に向けて引っ張ると、結び目２２に相当する一部６２が、これが取り囲むものを固く締め付ける。その結果、蝶結び１０が形成される。
【符号の説明】
【００２８】
１０  装飾用の蝶結び
１２  第１の垂れ
１４  二重環
１６  内環
１８  外環
２０  第１のループ
２２  結び目リボン片の一部及び他の一部
２４、２６  リボン片の一端部及び他端部
２８  結び目
【図１】
0003192415.tif 000003
【図２】
0003192415.tif 000004
【図３】
0003192415.tif 000005
【図４】
0003192415.tif 000006
【図５】
0003192415.tif 000007
【図６】
0003192415.tif 000008
【図７】
0003192415.tif 000009
【図８】
0003192415.tif 000010
【図９】
0003192415.tif 000011
【図１０】
0003192415.tif 000012